(57)【要約】【課題】この発明は、画素が複数の画素片により細分化されている表示パネルにおいて、高品位の中間調を表示させることができる表示パネル等提供することを目的とする。【解決手段】本発明に係る表示パネル１０では、例えば、各画素１は、表示のＯＮ／ＯＦＦ制御が可能な複数の画素片１ａ〜１ｃにより、ストライプ状に細分化されている。そして、画素片１ａ〜１ｃは、画素１の略中心に存している単位画素片１ａと、単位画素片１ａを挟み込むように順次、配置される複数の画素片対１ｂ，１ｃとを、備えている。そして、対を形成する両画素片の面積は、略同一である。【選択図】図１
2006301045.tif 000002
【特許請求の範囲】
【請求項１】
所定の配列に従って配設された複数の画素を有する表示パネルにおいて、
各前記画素は、表示のＯＮ／ＯＦＦ制御が可能な複数の画素片により、ストライプ状に細分化されており、
前記画素片は、
前記画素の略中心に存している単位画素片と、
前記単位画素片を挟み込むように順次、配置される複数の画素片対とを、備えており、
対を形成する両画素片の面積は、略同一である、
ことを特徴とする表示パネル。
【請求項２】
前記単位画素片は、
前記画素片のうち最小の面積を有しており、
各前記画素片対の合計面積は、
前記単位画素片から遠ざかるに連れて、所定の割合で増加している、
ことを特徴とする請求項１に記載の表示パネル。
【請求項３】
所定の配列に従って配設された複数の画素を有する表示パネルにおいて、
各前記画素は、表示のＯＮ／ＯＦＦ制御が可能な複数の画素片により細分化されており、
前記画素片は、
前記画素の略中心に存している単位画素片と、
前記単位画素片を囲繞するように、入れ子状に配置される複数の環状画素片とを、備えている、
ことを特徴とする表示パネル。
【請求項４】
前記単位画素片は、
前記画素片のうち最小の面積を有しており、
前記環状画素片の面積は、
前記単位画素片から遠ざかるに連れて、所定の割合で増加している、
ことを特徴とする請求項３に記載の表示パネル。
【請求項５】
前記所定の割合は、
前記単位画素を基準として２倍である、
ことを特徴とする請求項２または請求項４に記載の表示パネル。
【請求項６】
請求項１ないし請求項５のいずれかに記載の表示パネルを、備えて構成される、
ことを特徴とする画像表示装置。
【請求項７】
第一の電極と、
平面視において前記第一の電極と交差する第二の電極とを、さらに備えており、
前記第一の電極と前記第二の電極とが交差する部分において、各前記画素が形成されており、
前記画素片に対応して、前記第一の電極または第二の電極のいずれか一方が、電極片により細分化されており、
所定の前記電極片と、細分化されていない電極とに、所定の信号を印加することにより、所定の前記画素片を点灯させる、
ことを特徴とする請求項６に記載の画像表示装置。
【請求項８】
各前記画素片に対応して前記表示パネル内に配設されており、表示保持機能を有する表示デバイスを、さらに備えている、
ことを特徴とする請求項６に記載の画像表示装置。
【請求項９】
前記表示デバイスは、
表示層にコレステリック液晶を用いたデバイスである、
ことを特徴とする請求項８に記載の画像表示装置。
【請求項１０】
前記表示パネルの前面に配設される、光拡散機能を有する光拡散部を、さらに備えている、
ことを特徴とする請求項６に記載の画像表示装置。
【請求項１１】
請求項１ないし請求項５のいずれかに記載の表示パネルを、所定の配列に従って配設することにより、一の大型ディスプレイを構成している、
ことを特徴とする画像表示装置。
【請求項１２】
所定の配列に従って配設された複数の画素を有する表示パネルを備えて構成される画像表示装置の表示方法において、
各前記画素は、表示のＯＮ／ＯＦＦ制御が可能な複数の画素片により細分化されており、
一の前記画素の輝度分布の重心が、当該一の画素の中心に位置するように、当該一の画素の所定の前記画素片を表示させることにより、各前記画素において所定の中間調を表示させる、
ことを特徴とする画像表示装置の表示方法。
【発明の詳細な説明】
【技術分野】
【０００１】
この発明は、複数の画素により構成される表示パネル、当該表示パネルを備える画像表示装置、およびその表示方法に係る発明である。特に、一の画素が複数の画素片により細分化されている表示パネル、画像表示装置およびその表示方法に関する。
【背景技術】
【０００２】
液晶表示装置やプラズマ表示装置などの平面画像表示装置に対して、中間調の画像を表示させる場合には、従来より、以下の２つの方式が採用されている。
【０００３】
第一の方式は、画素に印加される電圧値を制御する方式である。第二の方式は、画素のＯＮ／ＯＦＦを高速で制御することにより、画素のＯＮ時間幅を制御する方式である。ところが、上記各方式により、中間調を表示させた場合には、次のような問題があった。
【０００４】
例えば、液晶表示装置に対して第一の方式を採用したとする。この場合には、印加電圧値を変化させることにより、画素を透過あるいは反射する光の光量を（液晶の光学的特性）変化させている。
【０００５】
しかし、当該光学的特性は、温度により変化する。したがって、ある中間調を表示させるに際して、同じ電圧値を印加したとしても、実際に表示される中間調は、動作時の温度に依存して変化する、という問題があった。
【０００６】
また、第二の方式により中間調を表示させる場合には、以下の問題があった。
【０００７】
人の目に画素のＯＮ／ＯＦＦ制御を知覚させず、適正な中間調を知覚させるようにするためには、ＯＮ時間幅の制御はもちろん、他に当該ＯＮ／ＯＦＦ制御を高速で行う必要があった。
【０００８】
当該高速ＯＮ／ＯＦＦ制御のために、当該第二の方式を適用できる表示装置は、応答速度の速い表示装置に限定されるという問題があった。また、応答性の速い表示装置であっても、処理速度を考慮して、表示パネルを構成する画素数を制限しなければならない（つまり、画素数を所定数以上に増加させることができない）という問題があった。
【０００９】
このような、問題に鑑みて、近年、中間調の新たな表示方式として、特許文献１に係る技術（方式）が開発されている。
【００１０】
特許文献１に係る技術では、一の画素を複数の画素片に分割している。そして、点灯させる（ＯＮ状態の）画素片の積算面積を変化させることにより、適正な中間調を表示させている。当該技術では、第一方式のような電圧をアナログ的に変化させる必要は無く、電圧の制御は、ＯＮ／ＯＦＦの単純な２値化制御である。また、電圧の印加時間も一定とすることができる。
【００１１】
【特許文献１】特公平３−５７２４号公報
【発明の開示】
【発明が解決しようとする課題】
【００１２】
特許文献１に係る技術では、特に、各画素片の表示方法には言及されていない。しかし、一の画素において、所定の中間調を表示させるために、所定の画素片を表示させた結果、当該一の画素における輝度分布の重心が、当該一の画素の中心からズレたとする。
【００１３】
この場合には、人の目には、当該重心のズレがノイズのように知覚され、特に、視距離が近い場合には、当該画素において、輪郭部がざらついて認識される。
【００１４】
また、隣接する画素間において、どちらか一方もしくは両方において、上記重心のズレが生じた場合には、結果として表示される画像が、人の目には、実際の表示画像と異なるように知覚される可能性もある。
【００１５】
以上のように、特許文献１に係る技術において、画素の細分化構造および各画素片の表示方法が適切でない場合には、品位の悪い中間調が表示される。
【００１６】
そこで、本発明は、画素が複数の画素片により細分化されている表示パネルにおいて、高品位の中間調を表示させることができる表示パネル、画像表示装置およびその表示方法を提供することを目的とする。
【課題を解決するための手段】
【００１７】
上記の目的を達成するために、本発明に係る請求項１に記載の表示パネルは、所定の配列に従って配設された複数の画素を有する表示パネルにおいて、各前記画素は、表示のＯＮ／ＯＦＦ制御が可能な複数の画素片により、ストライプ状に細分化されており、前記画素片は、前記画素の略中心に存している単位画素片と、前記単位画素片を挟み込むように順次、配置される複数の画素片対とを、備えており、対を形成する両画素片の面積は、略同一である。
【００１８】
また、本発明に係る請求項３に記載の表示パネルは、所定の配列に従って配設された複数の画素を有する表示パネルにおいて、各前記画素は、表示のＯＮ／ＯＦＦ制御が可能な複数の画素片により細分化されており、前記画素片は、前記画素の略中心に存している単位画素片と、前記単位画素片を囲繞するように、入れ子状に配置される複数の環状画素片とを、備えている。
【００１９】
また、本発明に係る請求項６に記載の画像表示装置は、請求項１ないし請求項５のいずれかに記載の表示パネルを、備えて構成されている。
【００２０】
また、本発明に係る請求項１２に記載の画像表示装置の表示方法は、所定の配列に従って配設された複数の画素を有する表示パネルを備えて構成される画像表示装置の表示方法において、各前記画素は、表示のＯＮ／ＯＦＦ制御が可能な複数の画素片により細分化されており、一の前記画素の輝度分布の重心が、当該一の画素の中心に位置するように、当該一の画素の所定の前記画素片を表示させることにより、各前記画素において所定の中間調を表示させる。
【発明の効果】
【００２１】
本発明の請求項１に記載の表示パネルは、所定の配列に従って配設された複数の画素を有する表示パネルにおいて、各前記画素は、表示のＯＮ／ＯＦＦ制御が可能な複数の画素片により、ストライプ状に細分化されており、前記画素片は、前記画素の略中心に存している単位画素片と、前記単位画素片を挟み込むように順次、配置される複数の画素片対とを、備えており、対を形成する両画素片の面積は、略同一であるので、輝度分布の重心が画素の略中心に位置するように、当該画素において中間調を表示させることができる。よって、画素の輝度の偏りに起因した画像の劣化を防止することができる。
【００２２】
また、本発明の請求項３に記載の表示パネルは、所定の配列に従って配設された複数の画素を有する表示パネルにおいて、各前記画素は、表示のＯＮ／ＯＦＦ制御が可能な複数の画素片により細分化されており、前記画素片は、前記画素の略中心に存している単位画素片と、前記単位画素片を囲繞するように、入れ子状に配置される複数の環状画素片とを、備えているので、輝度分布の重心が画素の略中心に位置するように、当該画素において中間調を表示させることができる。よって、画素の輝度の偏りに起因した画像の劣化を防止することができる。
【００２３】
また、本発明に係る請求項６に記載の画像表示装置は、請求項１ないし請求項５のいずれかに記載の表示パネルを、備えて構成されているので、高品位の中間調を表示させることができる画像表示装置を提供することができる。
【００２４】
また、本発明に係る請求項１２に記載の画像表示装置の表示方法は、所定の配列に従って配設された複数の画素を有する表示パネルを備えて構成される画像表示装置の表示方法において、各前記画素は、表示のＯＮ／ＯＦＦ制御が可能な複数の画素片により細分化されており、一の前記画素の輝度分布の重心が、当該一の画素の中心に位置するように、当該一の画素の所定の前記画素片を表示させることにより、各前記画素において所定の中間調を表示させるので、画素の輝度の偏りに起因した画像の劣化を防止することができる。よって、画像表示装置において、高品位の中間調を表示させることができる。
【発明を実施するための最良の形態】
【００２５】
以下、この発明をその実施の形態を示す図面に基づいて具体的に説明する。
【００２６】
＜実施の形態１＞
図１は、本発明に係る画像表示装置の表示パネルの全体図を示す、平面図である。
【００２７】
図１に示すように、表示パネル１０は、所定の配列に従って配設された、複数の画素１を有する。ここで、図１では、表示パネル１０は、マトリクス状（つまり、縦横等間隔）に配置された複数の画素１を有している。また、図１に示すように、表示パネル１０の一の短辺および一の長辺には、電極引出し部が形成されている。
【００２８】
ここで、図１では図示されていないが、各画素１は、複数の画素片により細分化されている。
【００２９】
図２は、拡大した一の画素１の代表的な構成を示す図である。
【００３０】
図２に示すように、画素１は、複数の画素片１ａ，１ｂ，１ｃにより、ストライプ状に細分化されている。
【００３１】
ここで、表示パネル１０は、各画素片１ａ〜１ｃの表示を、独立に制御できる構成となっている。例えば、特許文献１に開示されているように、各画素片１ａ，１ｂ，１ｃは、各画素片毎にＯＮ／ＯＦＦの表示情報を保持する機能を有するデバイス（ＭＯＳ型ＦＥＴ、信号蓄積用コンデンサ等から構成されるデバイス）により、構成しても良い。また、当該各画素片１ａ〜１ｃの表示制御は、単純なＯＮ／ＯＦＦ制御である。
【００３２】
さて、具体的に、画素片１ａ〜１ｃの配置、合計面積等は、以下のように構成されている。
【００３３】
つまり、図２に示すように、画素片は、単位画素１ａと、画素片対１ｂ，１ｃから構成されている。単位画素片１ａは、画素１の略中心に存しており、各画素片のうち最小の面積である。また、画素片対１ｂ，１ｃは、単位画素片１ａを挟み込むように、前記画素の内から外周部にかけて順次、配置される。
【００３４】
具体的に、単位画素片１ａを直接挟み込むように、画素片対１ｂが配置されている。また、単位画素片１ａおよび画素片対１ｂを挟み込むように、画素片対１ｃが配置されている。ここで、一つの画素片対を構成している両画素片の面積は、略同一である。
【００３５】
各画素片対１ｂ，１ｃの合計面積（対の面積）は、単位画素片１ａから遠ざかるに連れて、所定の割合（本実施の形態では、単位画素片１ａを基準に２倍。以下、当該２倍で話を進める。しかし、本発明では、当該所定の割合を２に限定するものでは無い。）で増加している。
【００３６】
つまり、本実施の形態では、図１に示すように、画素片対の合計面積（対の面積）は、２nで増加している。ここで、ｎは、単位画素片１ａから遠ざかるに連れて、１毎増加する。具体的に、単位画素片１ａの面積を「１（＝２0）」とする。この場合、画素片対１ｂの合計面積は、「２（＝２1）」である。また、画素片対１ｃの合計面積は、「４（＝２2）」である。
【００３７】
もし、画素片対１ｂ，１ｃのほかに、当該画素片対１ｂ、１ｃを挟み込むような画素片対が形成されている（つまり、画素１が図１に示されているよりも、さらに細分化されている）場合には、当該他の画素片対の合計面積は、「８（＝２3）」、「１６（＝２4）」・・・「２n」と増大していく。ここで、「２n」は、単位画素片１ａを基準としてｎ番目に配置される画素片対の合計面積である。
【００３８】
次に、上記のように構成された表示パネル１０を有する、画像表示装置の表示方法について説明する。
【００３９】
図３は、一の画素１における、中間調を含む０〜７の８階調の画像表示の様子を示す図である。図３において、１〜６が中間調を表示している。
【００４０】
図３に示すように、表示する画像の濃淡（つまり、各階調の度合い）に対応して、各画像片１ａ〜１ｃの表示が制御されている。図３には、完全点灯（第七階調）、完全消灯（第ゼロ階調）、および中間調（第一〜第六階調）の計８階調表示の様子が図示されている。
【００４１】
ここで、各画素片１ａ〜１ｃの表示制御は、単純なＯＮ／ＯＦＦ制御である。したがって、各画素片１ａ〜１ｃの点灯時（表示時）の輝度分布は、一の画素片内においても、また各画素片間においても、ほぼ一様である。
【００４２】
一の画素１において、中間調を表示させるに際して、当該画素１の輝度分布の重心が、常に、画素の略中心に位置するように、所定の画素片１ａ〜１ｃを表示（点灯）させている。
【００４３】
具体的に、第ゼロ階調の場合には、全ての画像片１ａ〜１ｃを非点灯とする。また、第一の階調の場合には、単位画素片１ａのみを点灯させる。また、第二の階調の場合には、画素片対１ｂのみを点灯させる。また、第三の階調の場合には、単位画素片１ａおよび画素片対１ｂを点灯させる。また、第四の階調の場合には、画素片対１ｃのみを点灯させる。また、第五の階調の場合には、単位画素片１ａおよび画素片対１ｃを点灯させる。また、第六の階調の場合には、画素片対１ｂ，１ｃを点灯させる。また、第七階調の場合には、全ての画像片１ａ〜１ｃを点灯とさせる。
【００４４】
図３から分かるように、中間調の階調が増加するに従い、点灯させる画素片の総面積が単位画素の面積単位で増加している。また、いずれの中間調においても、輝度の重心は、画素１の略中心に位置している。つまり、一の画素１の輝度分布の重心が、当該一の画素の中心に位置するように、当該一の画素の所定の画素片１ａ〜１ｃを表示させることにより、各画素１において所定の中間調を表示させている。
【００４５】
以上のように、本実施の形態に係る表示パネル１０（または、当該表示パネルを備える画像表示装置）では、各画素１は、上記の様に構成され、また上記の様に表示させているので、以下に示す効果を有する。
【００４６】
例えば、図４，５に示すように、輝度の重心が常に画素１の略中心に無い状態で、中間調を表示させた場合には、以下に示す問題が生じる。ここで、図４は、本実施の形態と同様に、画素１は、単位画素片および画素片対により細分化されているが、中間調の表示おいて、輝度分布の重心が画素１の中心に無い場合である。また、図５は、画素１の画素片による細分化の構成が、本実施の形態と異なっており、かつ、中間調の表示おいて、輝度分布の重心が画素１の中心に無い場合である。
【００４７】
つまり、この場合には、人間の目には、当該局部的な画素の輝度の偏りがノイズのように知覚され、特に、視距離が近い場合には、画像の輪郭部のざらつき感を目立つ結果となる。
【００４８】
しかし、本実施の形態の場合には、中間調を表示させたとしても、常に、輝度の重心が画素の中心に存在するので、画素の輝度の偏りに起因した画像の劣化を防止することができる。
【００４９】
なお、上記従来技術の第一の方式の場合には、画素に印加される電圧をアナログ的に制御することにより、中間調を表示させていた（図６参照）。この場合には、電圧の偏差に起因した表示のバラツキが生じていた。
【００５０】
しかし、本実施の形態では、各画素片１ａ〜１ｃの点灯は、デジタル的な電圧（つまり、単純なＯＮ／ＯＦＦの電圧）により制御されている。したがって、上記従来の第一の方式において、中間調を表示させる場合に生じていた表示のバラツキを抑制することができる。
【００５１】
また、本実施の形態では、上記従来技術の第二の方式のように、画素のＯＮ時間幅を制御しているわけではないので、制御動作の高速化は、当該従来の第二の方式を採用した場合よりは要求されない。
【００５２】
また、各画素１を細分化するに際して、図７に示すように、当該画素１を同じ面積から成る複数の画素片１ｔにより、細分化する場合も考えられる。当該構成において、画素１の輝度分布の重心を当該画素１の中心に存するように、各階調を表示した場合には、図８のようになる。なお、画素１は画素片１ｔにより、本実施の形態と同様５分割されている。
【００５３】
当該場合には、各階調の変化は、図８に示すように、６通りとなる。
【００５４】
しかし、本実施の形態にように、画素１を、単位画素片１ａと、所定の割合で増加する面積が増加する画素片対１ｂ，１ｃとにより、細分化した場合には、図３に示すように、８通りの階調変化が可能となる。つまり、本実施の形態のように、画素１を単位画素片１ａと、所定の割合で増加する面積が増加する画素片対１ｂ，１ｃとにより、細分化した方が、より細かく中間調を表示することができる。
【００５５】
また、本実施の形態では、各画素片対１ｂ，１ｃの合計面積（対の面積）が、単位画素片１ａから遠ざかるに連れて、単位画素片１ａを基準に２倍で増加する場合について言及した。しかし、各画素片対１ｂ，１ｃの合計面積（対の面積）は、単位画素片１ａから遠ざかるに連れて、所定の割合で増加すれば良く、単位画素片１ａを基準に２倍で増加する場合に限定しなくても良い。
【００５６】
しかし、上記のように、各画素片対１ｂ，１ｃの合計面積（対の面積）が、単位画素片１ａから遠ざかるに連れて、単位画素片１ａを基準に２倍で増加する場合には、以下に示す効果を奏する。
【００５７】
つまり、各階調の変化を、当該単位画素片１ａの面積単位で変化させることできる。具体的に、図３に示すように、第ゼロ階調から一毎階調を増加させる場合、輝度は、当該単位画素片１ａの輝度単位で増加させることができる。
【００５８】
なお、本実施の形態では、画素１は、画素片１ａ〜１ｃにより「横方向」に、ストライプ状に細分化されている。しかし、図９に示すように、画素１は、画素片１ａ〜１ｃにより「縦方向」に、ストライプ状に細分化されていても良い。
【００５９】
＜実施の形態２＞
本実施の形態においても、表示パネル１０は、例えばマトリクス状（つまり、縦横等間隔）に配置された、複数の画素１を有している。しかし、本実施の形態では、各画素１の細分化の方法が実施の形態１と異なる。図１０は、本実施の形態に係る各画素１の細分化の方法を示す図である。
【００６０】
図１０に示すように、画素片は、単位画素片１ａと環状画素片１ｒ，１ｓとから成る。単位画素片１ａは、画素１の略中心に存しており、画素片１ａ，１ｒ，１ｓのうち最小の面積を有する。また、環状画素片１ｒ，１ｓは各々、単位画素片１ａを囲繞するように、入れ子状に配置されている。
【００６１】
また、環状画素片１ｒ，１ｓの面積は、単位画素片１ａから遠ざかるに連れて、２の等比数列的に（２nで）増加している。
【００６２】
具体的に、単位画素片１ａの面積を「１（＝２0）」とする。この場合、環状画素片１ｒの面積は、「２（＝２1）」である。また、環状画素片１ｓの面積は、「４（＝２2）」である。
【００６３】
もし、環状画素片１ｒ，１ｓのほかに、当該環状画素片１ｒ，１ｓを囲繞するような環状画素片が形成されている場合には、当該他の環状画素片の面積は、「８（＝２3）」、「１６（＝２4）」・・・「２n」と増大していく。ここで、「２n」は、単位画素片１ａを基準としてｎ番目に配置される環状画素片の面積である。
【００６４】
なお、本実施の形態においても、当該各画素片１ａ，１ｒ，１ｓの表示制御は、単純なＯＮ／ＯＦＦ制御である。
【００６５】
次に、図１０に示すように細分化された画素１の、中間調の表示方法について説明する。
【００６６】
図１１は、一の画素１における、中間調を含む０〜７の８階調の画像表示の様子を示す図である。図１１において、１〜６が中間調を表示している。
【００６７】
図１１に示すように、表示する画像の濃淡に（つまり、各階調の度合い）対応して、各画像片１ａ，１ｒ，１ｓの表示が制御されている。図１１には、完全点灯（第七階調）、完全消灯（第ゼロ階調）、および中間調（第一〜第六階調）の８階調表示の様子を図示している。
【００６８】
ここで、各画素片１ａ，１ｒ，１ｓの表示制御は、単純なＯＮ／ＯＦＦ制御である。したがって、各画素片１ａ，１ｒ，１ｓの点灯時（表示時）の輝度分布は、一の画素片内においても、また各画素片間においても、ほぼ一様である。
【００６９】
一の画素１において、中間調を表示させるに際して、当該画素１の輝度分布の重心が、常に、画素の中心に位置するように、所定の画素片１ａ，１ｒ，１ｓを表示（点灯）させている。
【００７０】
具体的に、第ゼロ階調の場合には、全ての画像片１ａ，１ｒ，１ｓを非点灯とする。また、第一の階調の場合には、単位画素片１ａのみを点灯させる。また、第二の階調の場合には、環状画素片１ｒのみを点灯させる。また、第三の階調の場合には、単位画素片１ａおよび環状画素片１ｒを点灯させる。また、第四の階調の場合には、環状画素片対１ｓのみを点灯させる。また、第五の階調の場合には、単位画素片１ａおよび環状画素片１ｓを点灯させる。また、第六の階調の場合には、環状画素片１ｒ，１ｓを点灯させる。また、第七階調の場合には、全ての画像片１ａ，１ｒ，１ｓを点灯とさせる。
【００７１】
図１１から分かるように、階調が増加するに従い、点灯させる画素片の総面積が単位画素１ａの面積単位で増加している。また、いずれの中間調においても、輝度の重心は、画素１の略中心に位置している。
【００７２】
以上のように、本実施の形態に係る表示パネル１０（または、当該表示パネル１０を備える画像表示装置）では、各画素１は、上記の様に構成され、また上記の様に表示させているので、実施の形態１と同様の効果を有する。
【００７３】
なお、各画素１を細分化するに際して、当該画素１を同じ面積から成る複数の環状画素片により、細分化する場合も考えられる。
【００７４】
しかし、画素１を、単位画素片１ａと、所定の割合で増加する面積が増加する環状画素片対１ｂ，１ｃとにより、細分化した場合には、実施の形態１で説明したように、より細かく中間調を表示することができる。
【００７５】
また、本実施の形態では、各環状画素片１ｒ，１ｓの面積が、単位画素片１ａから遠ざかるに連れて、単位画素片１ａを基準に２倍で増加する場合について言及した。しかし、各環状画素片１ｓ，１ｒの面積は、単位画素片１ａから遠ざかるに連れて、所定の割合で増加すれば良く、単位画素片１ａを基準に２倍で増加する場合に限定しなくても良い。
【００７６】
しかし、上記のように、各環状画素片１ｓ，１ｒの面積が、単位画素片１ａから遠ざかるに連れて、単位画素片１ａを基準に２倍で増加する場合には、以下に示す効果を奏する。
【００７７】
つまり、各階調の変化を、当該単位画素片１ａの面積単位で変化させることできる。具体的に、図に示すように、第ゼロ階調から一毎階調を増加させる場合、輝度は、当該単位画素片１ａの輝度単位で増加させることができる。
【００７８】
＜実施の形態３＞
本実施の形態では、実施の形態１に係る画素構造に適用され、各画素片を点灯（表示）させることができる、電極構造に関するものである。図１２は、当該電極構造の構成を示す平面図である。また、図１２のＡ−Ａ断面図を、図１３に示す。
【００７９】
図１２に示すように、行電極１１は、図面横方向に、ストライプ状に配設されている。また、列電極１２は、図面縦方向に、ストライプ状に配設されている。図１３に示すように、裏面ガラス基板１３上に、列電極１２が配設されている。また、表面ガラス基板１４上に、行電極１１が配設されている。ここで、行電極１１および列電極１２は、共に、透明電極である。
【００８０】
ここで、行電極１１と列電極１２とは、平面視において交差しており、当該交差する部分において、各画素１が形成されている。また、図１３に示すように、行電極１１と列電極１２とは、所定の距離だけ隔てて配設されており、行電極１１と列電極１２との間には、液晶等の表示層１５が形成されている。
【００８１】
さらに、図１２，１３に示すように、本実施の形態に係る電極構造では、列電極１２が、図２に示した画素片１ａ〜１ｃに対応して、電極片１２ａ，１２ｂ，１２ｃにより細分化されている。
【００８２】
つまり、行電極１１と電極片１２ａとが重複する領域において、画素片１ａが形成される。また、行電極１１と電極片１２ｂとが重複する領域において、画素片１ｂが形成される。また、行電極１１と電極片１２ｃとが重複する領域において、画素片１ｃが形成される。
【００８３】
なお、ここでは、列電極１２が電極片１２ａ，１２ｂ，１２ｃにより細分化されている場合について言及した。しかし、図１４に示すように、行電極１１を、図２に示した画素片１ａ〜１ｃに対応した電極片１１ａ，１１ｂ，１１ｃにより、細分化しても良い。
【００８４】
つまり、行電極１１または列電極１２のいずれかが一方が、図２に示した画素片１ａ〜１ｃに対応して、電極片１１ａ，１１ｂ，１１ｃ（または、１２ａ，１２ｂ，１２ｃ）により細分化されていれば良い。
【００８５】
なお、図示していないが、各電極片１２ａ〜１２ｃ（または、１１ａ〜１１ｃ）間には、絶縁膜が形成されているか、もしくは、若干のスペースが形成されている。
【００８６】
図１２，１３に示す電極構造において、例えば、所定の行電極１１に走査信号電圧を印加し、所定の電極片１２ａ〜１２ｃにデータ信号電圧を印加する。すると、走査信号電圧が流れている行電極１１と、データ信号電圧が流れている電極片１２ａ〜１２ｃとが、交差する部分の表示層１５は、当該各信号電圧に基づいて発光を行う。つまり、所定の画素片１ａ〜１ｃが点灯（表示）される。
【００８７】
言い換えると、行電極１１に走査信号電圧を順次印加させ、各走査信号電圧が有効な期間に、各電極片１２ａ〜１２ｃにデータ信号電圧を印加させる。これにより、所定の画素片１ａ〜１ｃが順次表示され、結果として全体の画像が表示される。
【００８８】
本実施の形態に係る画像表示装置では、電極構造は上述のように、行電極１１または列電極１２のいずれか一方が、画素片１ａ〜１ｃに対応して、電極片１２ａ〜１２ｃ（または、１１ａ〜１１ｃ）により細分化されている。
【００８９】
したがって、特公平３−５７２４に係る技術（つまり、各画素片を個別に制御するための電極構造）と比較して、簡素な電極構造により、所定の画素片１ａ〜１ｃを点灯（表示）させることができる。
【００９０】
また、電極構造の簡素化に伴い、各画素片１ａ〜１ｃの表示方法も簡単に行うことができる。
【００９１】
なお、本実施の形態では、実施の形態１に係る画素構造に適用され、各画素片１ａ〜１ｃを点灯（表示）させることができる、電極構造に関して説明をしてきた。
【００９２】
しかし、実施の形態２に係る画素構造に適用され、各画素片１ａ，１ｒ，１ｓを点灯（表示）させることができる、電極構造についても本実施の形態の概念は適用できる。つまり、行電極１１または列電極１２のいずれか一方を、画素片１ａ，１ｒ，１ｓに対応して、複数の電極片により細分化する。ただし、この場合には、電極片は、多層に渡って配設されることになる（つまり、多層電極片構造となる）。
【００９３】
＜実施の形態４＞
上記各実施の形態に係る画像表示装置において、解像度を高くさせるためには、画素数を増加させる必要がある。そうすると、行電極や列電極の本数が増加し、電圧信号走査時間の制限より、走査信号電圧をより高速で印加する必要性が生じる。よって、各画素（各画素片）の点灯時間が短くなり、コントラストが低下する。
【００９４】
そこで、解像度を向上させた場合に生じるコントラストの低下問題を解決するために、本実施の形態に係る画像表示装置では、各画素（各画素片）に対応して表示パネル内に配設される表示デバイスとして、表示保持機能を有する表示デバイスを採用する。
【００９５】
当該表示保持機能を有する表示デバイスとして、例えば、ＭＯＳ型ＦＥＴや信号蓄積用コンデンサ等から構成されるデバイス、または、表示層にコレステリック液晶を用いたデバイスなどがある。
【００９６】
このように、表示保持機能を有するデバイスを適用することにより、以下に示す効果を有する。
【００９７】
例えば、図１２に示す電極構成において、行電極１１に走査信号電圧を順次印加させ、各走査信号電圧が有効な期間に、各電極片１２ａ〜１２ｃにデータ信号電圧を印加させる。これにより、所定の画素片１ａ〜１ｃの表示が順次確定し、次に信号電圧が印加させるまで、当該表示状態が保持される。
【００９８】
したがって、表示保持機能を有する表示デバイスを適用しない場合に比べて、表示時間も長くなり、例え解像度を向上させたとしても、高コントラスの画像表示を行うことができる。
【００９９】
特に、表示保持機能を有する表示デバイスとして、コレステリック液晶を採用した場合には（つまり、図１３に示す構造において、表示層１５としてコレステリック液晶を採用した場合には）、例えば、ＭＯＳ型ＦＥＴや信号蓄積用コンデンサ等から構成される表示保持機能デバイスを採用する場合よりも、電極構造や配線の簡素化を図ることができるという効果も奏する。
【０１００】
＜実施の形態５＞
実施の形態１，２に係る画像表示装置の表示パネル１０において、中間調を表示したとする。この場合、上述のとおり中間調を表示している各画素１において、輝度分布の重心は、当該画素１の略中心に存する。したがって、輝度分布の偏りに起因した画質の劣化は低減され、当該中間調を表示している表示パネル１０を遠距離から見た場合には、良好な画像を視認することができる。
【０１０１】
しかし、上記中間調を表示している表示パネル１０を近距離から見た場合には、各画素片１ａ〜１ｃ，１ｒ，１ｓを直接観察される。したがって、当該表示パネル１０を近距離から見た場合には、画質が劣化しているように感じられる場合もあり得る。
【０１０２】
そこで、上記近距離視認の場合に生じる問題を解決するために、本実施の形態に係る画像表示装置では、上記各実施の形態に係る表示パネル１０の前面に、光拡散部を設けている。
【０１０３】
光拡散部としては、例えば、ノングレア処理を施したすりガラス、またはノングレアシート等が考えられる。ノングレア処理を施したすりガラスは、ガラスの表面を薬剤により腐食させ、当該表面を荒らすことにより形成される。また、光拡散部として、ノングレアシートを採用する場合には、表示パネル１０の前面に当該ノングレアシートを貼付するだけで良い。
【０１０４】
図１５は、表示パネル１０の前面に、光拡散部２０を配設した様子を示す図である。
【０１０５】
このように、本実施の形態に係る画像表示装置では、表示パネル１０の前面に光拡散部２０を設けている。したがって、例え当該表示パネル１０を近距離より観察したとしても、画素片１ａ〜１ｃ，１ｒ，１ｓを明確に認識されなくなる。これにより、画素片１ａ〜１ｃ，１ｒ，１ｓが明確に視認されることに起因する、画質の劣化を緩和することができる。
【０１０６】
また、ノングレア処理を施した場合には、照明などの映り込み(グレア)を少なくするができ、これにより、表示を見やすくして目の疲れを軽減するという効果を奏する。
【０１０７】
したがって、上記のように、ノングレア処理を施した光拡散部２０を画像表示装置に設置した場合には、当該画像表示装置は、上記ノングレア処理に起因した効果をも奏することができる。
【０１０８】
＜実施の形態６＞
本実施の形態は、上記各実施の形態に係る表示パネル１０をマトリクス状に配設させ、一の大型ディスプレイを構成することを特徴とする。
【０１０９】
本実施の形態に係る画像表示装置（大型ディスプレイ）を図１６に示す。図１６に示すように、各実施の形態に係る表示パネル１０は、縦横に多数配設されている。そして、全体として、一の画像を表示する大型ディスプレイ１００を構成している。
【０１１０】
このように、本実施の形態では、各実施の形態に係る表示パネル１０を多数配設されて、一の大型ディスプレイ１００を構成しているので、以下の効果を奏する。
【０１１１】
つまり、実施の形態４で説明したように、画素１を複数の画素片１ａ〜１ｃ，１ｒ，１ｓにより細分化した場合には、遠距離から当該画素を有する表示パネルに表示される画像を視認する方が望ましい。これは、近距離からだと、画素片１ａ〜１ｃ，１ｒ，１ｓが視認され、画質の劣化が感じられるからである。
【０１１２】
しかし、上記のように、大型ディスプレイ１００として使用した場合には、当該大型ディスプレイ１００は、遠距離からの視認を目的としているため、上記光拡散部２０を設けなくとも、画質の劣化を感じることは無くなる。
【０１１３】
また、中間調を電圧値の制御により表示させる、上記従来技術の第一の方式に係る表示パネルを複数配設し、一の大型ディスプレイを構成したとする。
【０１１４】
この場合、各表示パネルの、電圧値に起因した輝度の変化特性（以下、表示特性と称する）が通常異なるので、同じ中間調を表示させるために同じ電圧値を印加したとしても、各表示パネル間において、異なる中間調が表示される結果となる。つまり、画像にムラが生じる。
【０１１５】
また、使用環境の温度が上昇すると、各表示パネル間において、上記表示特性はより顕著に異なる。よって、上記画像ムラがより顕在化する。
【０１１６】
ところで、所定の電圧以上となると、表示される輝度は飽和するので、当該所定の電圧値を印加した場合には、各表示パネル間における表示特性のばらつきは、生じない。つまり、表示特性のばらつきは、ゼロ電圧（ＯＦＦ）から飽和電圧（完全ＯＮ）電圧に至る中間的な値で生じる。
【０１１７】
ここで、本実施の形態に係る画像表示装置（大型ディスプレイ１００）では、中間調を表示する場合においても、各画素片１ａ〜１ｃ，１ｒ，１ｓは、単純なＯＮ／ＯＦＦで制御される。
【０１１８】
したがって、本実施の形態に係る画像表示装置（大型ディスプレイ１００）は、各表示パネル１０間の表示特性のばらつきは、ほとんど発生せず、画像にムラが生じることも抑制することができる。
【図面の簡単な説明】
【０１１９】
【図１】表示パネルの構成を示す平面図である。
【図２】画素片により細分化された画素の様子を示す平面図である。
【図３】所定の画素片を点灯（表示）させることにより、各階調の表示を行っている様子を示す図である。
【図４】実施の形態１に係る発明の効果を説明するための図である。
【図５】実施の形態１に係る発明の効果を説明するための図である。
【図６】電圧値を変化させることにより、各階調の表示を行っている様子を示す図である。
【図７】一の画素が、同等の面積、同一の形状を有する画素片により、ストライプ状に細分化されている様子を示す図である。
【図８】所定の画素片を点灯（表示）させることにより、各階調の表示を行っている様子を示す図である。
【図９】一の画素が、縦方向にストライプ状に、画素片により細分化されている様子を示す図である。
【図１０】一の画素が、環状の画素変により、入れ子状に細分化されている様子を示す図である。
【図１１】実施の形態２に係る画素において、所定の画素片を点灯（表示）させることにより、各階調の表示を行っている様子を示す図である。
【図１２】列電極が、電極片により細分化されている様子を示す平面図である。
【図１３】表示パネルの断面構造を示す図である。
【図１４】行電極が、電極片により細分化されている様子を示す平面図である。
【図１５】表示パネルの前面に光拡散部が配設されている様子を示す斜視図である。
【図１６】複数の表示パネルをマトリクス状に配設することにより構成される、一の大型ディスプレイを示す図である。
【符号の説明】
【０１２０】
１  画素、１ａ  単位画素片、１ｂ，１ｃ  画素片対、１ｒ，１ｓ  環状画素片、２  引出し電極、１０  表示パネル、１１  行電極、１２  列電極、１２ａ，１２ｂ，１２ｃ  電極片、２０  光拡散部、１００  大型ディスプレイ。
【図１】
2006301045.tif 000003
【図２】
2006301045.tif 000004
【図３】
2006301045.tif 000005
【図４】
2006301045.tif 000006
【図５】
2006301045.tif 000007
【図６】
2006301045.tif 000008
【図７】
2006301045.tif 000009
【図８】
2006301045.tif 000010
【図９】
2006301045.tif 000011
【図１０】
2006301045.tif 000012
【図１１】
2006301045.tif 000013
【図１２】
2006301045.tif 000014
【図１３】
2006301045.tif 000015
【図１４】
2006301045.tif 000016
【図１５】
2006301045.tif 000017
【図１６】
2006301045.tif 000018